(57)【要約】【課題】バリアブルカラー表示を行うに際し、入力音声信号のスペアナ表示機能に対応付けて照明色を表示することができる照明装置を提供する。【解決手段】入力音声信号に基づいて照明を行う照明装置１００であって、前記入力音声信号の周波数分布状態、あるいは、前記入力音声信号に関連する関連情報に基づいて、照明色及び照明色変更間隔を含む照明パターンを変更する照明制御部１３と、前記照明制御部１３の制御下で、前記照明パターンを変更しつつ照明を行う照明部２５とを備えた。【選択図】図１
2007095472.tif 000002
【特許請求の範囲】
【請求項１】
入力音声信号に基づいて照明を行う照明装置であって、
前記入力音声信号の周波数分布状態、あるいは、前記入力音声信号に関連する関連情報に基づいて、照明色及び照明色変更間隔を含む照明パターンを変更する照明制御部と、
前記照明制御部の制御下で、前記照明パターンを変更しつつ照明を行う照明部とを備えたことを特徴とする照明装置。
【請求項２】
前記照明制御部は、前記周波数分布状態における周波数全域の信号レベル平均値を、所定の閾値と比較し、前記信号レベル平均値と前記閾値との大小関係に応じて、前記照明パターンを変更することを特徴とする請求項１に記載の照明装置。
【請求項３】
前記閾値は、前回の前記周波数分布状態における周波数全域の前回の信号レベル平均値であることを特徴とする請求項２に記載の照明装置。
【請求項４】
前記関連情報は、前記入力音声信号に基づく音声の内容に関連する音声内容情報を含むことを特徴とする請求項１乃至３のいずれかに記載の照明装置。
【請求項５】
前記入力音声信号の周波数分布状態をグラフィカルに表示する表示部を備え、
前記関連情報に応じて、前記周波数分布状態の表示レンジを変更して表示することを特徴とする請求項１乃至４のいずれかに記載の照明装置。
【請求項６】
前記照明装置は車両に搭載され、
前記照明制御部は、前記車両が備える外気温センサの検出結果に応じて、前記照明パターンを変更することを特徴とする請求項１乃至５のいずれかに記載の照明装置。
【請求項７】
入力音声信号に基づいて照明を行う照明装置を制御する制御方法であって、
前記入力音声信号の周波数分布状態、あるいは、前記入力音声信号に関連する関連情報に基づいて、照明色及び照明色変更間隔を含む照明パターンを変更する過程と、
変更後の前記照明パターンに基づいて照明を行う過程とを備えたことを特徴とする照明装置の制御方法。
【請求項８】
入力音声信号に基づいて照明を行う照明装置をコンピュータにより制御するための制御プログラムであって、
前記入力音声信号の周波数分布状態、あるいは、前記入力音声信号に関連する関連情報に基づいて、照明色及び照明色変更間隔を含む照明パターンを変更させ、
変更後の前記照明パターンに基づいて照明を行わせることを特徴とする制御プログラム。
【発明の詳細な説明】
【技術分野】
【０００１】
本発明は、入力音声信号に基づいて照明を行う照明装置、その制御方法、制御プログラムに関する。
【背景技術】
【０００２】
従来、光の三原色である赤色、緑色及び青色で構成されるＬＥＤを備え、予め設定された照明パターンに従ってさまざまな照明色で発光するバリアブルカラー表示機能を備えた照明装置が知られている（例えば、参考文献１参照）。また、入力音声信号の信号レベルを周波数分布毎に量的にグラフィカルに表示するスペクトルアナライザ（以下、スペアナとする）表示機能が知られている。
【特許文献１】特許３０４１０１６号
【発明の開示】
【発明が解決しようとする課題】
【０００３】
しかしながら、上記従来の技術にあっては、バリアブルカラー表示機能は、一定間隔の照明パターンで色が変化するだけであるため、視覚的なインパクトが小さかった。
【０００４】
本発明は、上述した事情に鑑みてなされたものであり、バリアブルカラー表示を行うに際し、入力音声信号のスペアナ表示機能に対応付けて照明色を表示することができる照明装置を提供することを目的とする。
【課題を解決するための手段】
【０００５】
本発明は、入力音声信号に基づいて照明を行う照明装置であって、前記入力音声信号の周波数分布状態、あるいは、前記入力音声信号に関連する関連情報に基づいて、照明色及び照明色変更間隔を含む照明パターンを変更する照明制御部と、前記照明制御部の制御下で、前記照明パターンを変更しつつ照明を行う照明部とを備えたことを特徴とする。
【０００６】
この場合において、前記照明制御部は、前記周波数分布状態における周波数全域の信号レベル平均値を、所定の閾値と比較し、前記信号レベル平均値と前記閾値との大小関係に応じて、前記照明パターンを変更してもよい。前記閾値は、前回の前記周波数分布状態における周波数全域の前回の信号レベル平均値であってもよい。
【０００７】
また、この場合において、前記関連情報は、前記入力音声信号に基づく音声の内容に関連する音声内容情報を含んでいてもよい。前記入力音声信号の周波数分布状態をグラフィカルに表示する表示部を備え、前記関連情報に応じて、前記周波数分布状態の表示レンジを変更して表示してもよい。前記照明装置は車両に搭載され、前記照明制御部は、前記車両が備える外気温センサの検出結果に応じて、前記照明パターンを変更してもよい。
【０００８】
また、本発明は、入力音声信号に基づいて照明を行う照明装置を制御する制御方法であって、前記入力音声信号の周波数分布状態、あるいは、前記入力音声信号に関連する関連情報に基づいて、照明色及び照明色変更間隔を含む照明パターンを変更する過程と、変更後の前記照明パターンに基づいて照明を行う過程とを備えたことを特徴とする。
【０００９】
また、本発明は、入力音声信号に基づいて照明を行う照明装置をコンピュータにより制御するための制御プログラムであって、前記入力音声信号の周波数分布状態、あるいは、前記入力音声信号に関連する関連情報に基づいて、照明色及び照明色変更間隔を含む照明パターンを変更させ、変更後の前記照明パターンに基づいて照明を行わせることを特徴とする。
【発明の効果】
【００１０】
本発明によれば、スペアナ表示及びバリアブルカラーを、再生している音声や使用状況に応じて可変表示することができる。
【発明を実施するための最良の形態】
【００１１】
以下、図面を参照しつつ本発明の実施の形態について説明する。
図１は、本実施形態にかかる照明装置１００の構成を示すブロック図である。この図において、照明装置１００は、音響装置と一体に構成されて、車両のダッシュボードに設けられた所定の収納スペースに嵌め込まれる。
セットマイコン１１は、装置本体１０の各部の制御を実行するものであり、ＥＥＰＲＯＭやＲＡＭ等の記憶手段が内蔵され、当該ＥＥＰＲＯＭには、制御用プログラムやメニュー画面などの各種表示用データが格納されている。なお、図示を省略しているが、セットマイコン１１には、車両のバッテリに直結されたバックアップ電源と、キースイッチを介してバッテリに接続されたＡＣＣ電源とが供給されている。したがって、ＡＣＣ電源がオフの間は、バックアップ電源がセットマイコン１１に供給され、ＲＡＭなどに格納したデータが保持される。
【００１２】
ラジオ受信部３０は、ＡＭ／ＦＭ波のラジオ放送を受信するものであり、アンテナ３２と、チューナ回路３１とを備え、チューナ回路３１がセットマイコン１１の指示に基づいて所定チャンネルのラジオ放送を受信し、音声信号を音声出力部４４に出力する。
ＣＤ（Compact Disc）再生部４０は、セットマイコン１１の制御の下、ＣＤ４２に記録されている音楽データを読み取り、音声信号を音声出力部４４に出力するＣＤ読取部４１を備えている。
記憶部４３は、ハードディスクであり、ＭＰ３形式の音声データを記憶している。記憶部４３は、セットマイコン１１の制御の下、記憶している音声データを再生し、音声信号を音声出力部４４に出力する。
【００１３】
音声出力部４４は、セットマイコン１１の制御の下、ラジオ受信部３０、ＣＤ再生部４０及び記憶部４３の各々からの音声信号に基づいて音声を出力するものであり、ＤＳＰ（Digital Signal Processor）４５と、音量を調整する電子ボリューム回路４６とを備えている。ＤＳＰ４５は、セットマイコン１１の制御の下、音声信号に対して、例えばフィルタ処理やイコライザ処理、音声信号が符号化されている場合にはデコード処理といったデジタル音声信号処理を施して電子ボリューム回路４６に出力するものであり、電子ボリューム回路４６は、セットマイコン１１の制御の下、再生音量を調整すべく、音声信号をＤ／Ａ変換した後に信号の振幅レベルを調整して出力するものである。また、ＤＳＰ４５には、上記ラジオ受信部３０、ＣＤ再生部４０及び記憶部４３の他にも、例えば図示せぬカーナビゲーション装置といった外部機器からの外部音声信号が入力可能に構成されている。
【００１４】
本照明装置１００には、例えば２線の同軸ケーブルからなるＲＣＡコネクタを介して外部アンプユニット４７が接続されており、上記電子ボリューム回路４６から出力された音声信号がＲＣＡコネクタを介して外部アンプユニット４７に入力される。外部アンプユニット４７は複数のスピーカＳＰが接続可能に構成されており、接続可能なスピーカＳＰの数（例えば、本実施形態では６）だけのアンプ回路（図示せず）を備え、電子ボリューム回路４６から入力された音声信号を増幅して、現在接続されている各スピーカＳＰに出力する。なお、アンプ回路やスピーカを装置本体１０にも内蔵し、外部アンプユニット４７を介さずに音声を出力可能に構成しても良いことは勿論である。
【００１５】
表示マイコン２０は、ＬＣＤドライバ２１、液晶パネル２２及び表示器２５を制御する制御部である。ＬＣＤドライバ２１は、表示マイコン２０の指示に基づいて液晶パネル２２に各種情報表示を行う。
表示器２５は、光の三原色を構成する赤、緑、青の３色で構成される複数のＬＥＤを備え、表示マイコン２０の制御下で、さまざまな色で発光する。表示器２５は、液晶パネル２２のバックライト、操作キー２３のバックライト、エスカッションの照明、ロゴや文字を照らすための照明等に設けられている。
【００１６】
照明装置１００は、操作キー７として、少なくとも、電源スイッチ、ボリュームキー、ＣＤ４２のイジェクトボタン、音声出力部４４から出力する入力音声信号を選択するモードボタンを備えている
タッチパネル２４には抵抗膜方式のタッチパネルが用いられ、その表面に手などが触れた場合、その接触点の位置座標に応じた電圧の信号が表示マイコン２０に出力され、かかる信号に基づいて表示マイコン２０によって接触点座標が特定される。これにより、液晶パネル２２に表示されているどの操作ボタンが操作されたかが特定され、その操作に応じた動作が実行される。
【００１７】
音楽情報取得部１４は、外部の通信機器と通信を行うための通信装置であり、外部のデータベース（図示せず）から、ＣＤ４２や記憶部４３に記録されている音声データの音楽ジャンルを含む音楽情報等の関連情報を取得し、セットマイコン１１に出力する。
外気温センサ５０は、照明装置１００が搭載される車両に設けられており、検出した外気温をセットマイコン１１に出力する。
【００１８】
照明装置１００は、スペアナ表示機能及びバリアブルカラー表示機能を有しており、セットマイコン１１は、それぞれの機能を司るスペアナデータ管理部１２及びバリアブルカラー制御部１３を備えている。ここで、スペアナ表示機能とは、音声出力信号の信号レベルを周波数帯域毎に表示する機能である。そして、バリアブルカラー表示機能とは、表示器２５の発光を照明パターンに従ってさまざまなバリアブルカラー（照明色）に変更する表示機能である。ここで照明パターンとは、予め設定された複数のバリアブルカラーで構成される色彩パターンやバリアブルカラーの更新時間（変更間隔）の変更パターンである。バリアブルカラー制御部１３は、バリアブルカラーの更新時間が経過すると、色彩パターンに基づいて、表示器２５の色を次の色に更新する。
【００１９】
図２は、照明装置１００によるスペアナ表示機能の表示状態に基づいて照明パターンを変更するときの動作を示すフローチャートである。
スペアナ表示機能の表示状態に基づいて照明パターンを変更するときには、先ず、表示マイコン２０が、スペアナデータ管理部１２で管理しているスペアナデータを、１００ｍｓに１回ずつ取得し、サンプリングを１０回（１秒間）行う（ステップＳ１）。
【００２０】
次に、表示マイコン２０は、取得したスペアナデータの周波数全域の信号レベル平均値を求め、信号レベル平均値が予め定められた閾値よりも大きいか否かを判断する（ステップＳ２）。
【００２１】
ステップＳ２において、表示マイコン２０は、信号レベル平均値が予め定められた閾値よりも大きいと判断すると（ステップＳ２：ＹＥＳ）、表示マイコン２０は、バリアブルカラー制御部１３に、バリアブルカラーの色の更新通知を行う（ステップＳ４）。
【００２２】
一方、ステップＳ２において、表示マイコン２０は、信号レベル平均値が予め定められた閾値よりも大きくないと判断すると（ステップＳ２：ＮＯ）、表示マイコン２０は、所定のバリアブルカラー更新時間（例えば、２秒間）が経過しているか否かを判断する（ステップＳ３）。
【００２３】
ステップＳ３において、表示マイコン２０は、所定のバリアブルカラー更新時間が経過していないと判断すると（ステップＳ３：ＮＯ）、表示マイコン２０は、ステップＳ１からの処理を繰り返す。
【００２４】
一方、ステップＳ３において、表示マイコン２０は、所定のバリアブルカラー更新時間が経過していると判断すると（ステップＳ３：ＹＥＳ）、表示マイコン２０は、ステップＳ４の処理に移行する。
【００２５】
表示マイコン２０が、ステップＳ４において、バリアブルカラー制御部１３に、バリアブルカラーの色の更新通知を行うと、バリアブルカラー制御部１３は、バリアブルカラーを次の色に更新する（ステップＳ５）。
【００２６】
次に、バリアブルカラー制御部１３は、更新したバリアブルカラーに対応する表示データを表示マイコン２０に送信し（ステップＳ６）、表示マイコン２０はバリアブルカラーで表示器２５を発光させる。
【００２７】
以上の処理により、照明装置１００は、スペアナデータの周波数全域の信号レベル平均値と、閾値との大小に応じて、バリアブルカラーの時間的な変更間隔を変えることができる。例えば、図３（ａ）、（ｂ）は、液晶パネル２２におけるスペアナ表示を示しており、スペアナデータは周波数分布Ａで示されている。そして、表示器２５で構成される背面Ｂは、バリアブルカラー制御部１３で制御された色で発光している。ここで、それぞれの図は、横軸が各周波数であり、左から６８Ｈｚ、１７０Ｈｚ、・・・、５．９ｋＨｚ、１４．４ｋＨｚであり、縦軸が各周波数の信号レベルであり、真ん中の横線は、予め定められた閾値Ｃである。スペアナデータの各周波数分布Ａが図３（ａ）に示す状態であり、周波数分布Ａにおける周波数全域の信号レベル平均値が閾値Ｃよりも大きい場合には、１秒毎にバリアブルカラーを更新する。そして、スペアナデータの周波数分布Ａが図３（ｂ）に示す状態であり、周波数分布Ａにおける周波数全域の信号レベル平均値が閾値Ｃよりも小さい場合には、２秒毎にバリアブルカラーを更新する。
【００２８】
図４は、照明装置１００が再生しているＣＤ４２に応じて、スペアナ表示の表示レンジに対応するスペアナの感度（以下、スペアナ感度とする）及び照明パターンを変更するときの動作を示すフローチャートである。
先ず、ユーザが操作キー２３を操作してＣＤ読取部４１にＣＤ４２を再生させると、音楽情報取得部１４は、ＣＤ再生部４０が再生するＣＤ４２に関連する音楽情報を取得する（ステップＳ１１）。
【００２９】
次に、音楽情報取得部１４は、取得した音楽情報を、スペアナデータ管理部１２及びバリアブルカラー制御部１３に通知する（ステップＳ１２）。
【００３０】
そして、スペアナデータ管理部１２は、取得した音楽情報に基づいて、再生させるＣＤ４２に適した感度に、スペアナ感度を切り換える（ステップＳ１３）。
【００３１】
スペアナデータ管理部１２がスペアナ感度を切り換えると、次に、バリアブルカラー制御部１３が、取得した音楽情報に基づいて、バリアブルカラーの更新時間を変更し、次に、色彩パターンを変更するように設定する（ステップＳ１４）。
【００３２】
そして、バリアブルカラー制御部１３は、設定したバリアブルカラーの更新時間及び色彩パターンに基づいて、バリアブルカラーを表示マイコン２０に送信し（ステップＳ１５）、表示マイコン２０はバリアブルカラーで表示器２５を発光させる。
【００３３】
以上の処理により、照明装置１００は、音楽情報取得部１４を介して外部データベースから音楽情報を取得することにより、ＣＤ４２から再生された音声の信号レベルに対応付けて、スペアナの表示領域をより有効に使用するように、スペアナ感度を切り換えたり、バリアブルカラーの更新時間及び色彩パターンを変更したりすることができる。例えば、図５（ａ）、（ｂ）は、液晶パネル２２におけるスペアナ表示を示しており、スペアナデータは各周波数分布Ａで示されている。そして、表示器２５で構成される背面Ｂは、バリアブルカラー制御部１３で制御された色で発光している。ここで、それぞれの図は、横軸が各周波数であり、左から６８Ｈｚ、１７０Ｈｚ、・・・、５．９ｋＨｚ、１４．４ｋＨｚであり、縦軸が各周波数の信号レベルであり、真ん中の横線は、予め定められた閾値Ｃである。ロック音楽を再生するときのスペアナ感度を維持した状態で、クラシック音楽を再生すると、図５（ａ）に示すように、周波数分布Ａにおける周波数全域の信号レベル平均値が閾値Ｃよりも小さくなってしまう。しかし、スペアナ感度を切り換えることにより、図５（ｂ）に示すように、周波数分布Ａの表示レンジを下げて表示することにより、ロック音楽を再生しているときのように、画面一杯に、周波数分布Ａを表示することができる。また、バリアブルカラーの変更を１秒毎から２秒毎に変更したり、落ち着いた色で構成される色彩パターンに変更したりすることにより、表示器２５の表示を音楽に合った表示にすることができる。
【００３４】
図６は、図２あるいは図４で示した処理に加えて、外気温に応じてバリアブルカラー表示機能の制御を行う場合の動作を示すフローチャートである。
先ず、セットマイコン１１は、車両に搭載されている外気温センサ５０から、外気温を取得する（ステップＳ２１）。
【００３５】
次に、セットマイコン１１が外気温センサ５０から取得した外気温に応じて、バリアブルカラー制御部１３が、バリアブルカラーの更新時間及び色彩パターンの設定を変更する（ステップＳ２２）。
【００３６】
そして、バリアブルカラー制御部１３は、設定を変更したバリアブルカラーの更新時間及び色彩パターンに基づいて、バリアブルカラーを表示マイコン２０に送信し（ステップＳ２３）、表示マイコン２０はバリアブルカラーで表示器２５を発光させる。
【００３７】
以上の処理により、照明装置１００は、外気温に応じて、バリアブルカラーの更新時間及び色彩パターンを変更することができる。これにより、例えば、外気温が高いときには、オレンジを基調とした明るい色で構成される色彩パターンで、また、外気温が低いときには、青を基調とした暗い色で構成される色彩パターンで表示器２５を発光させることができる。さらには、例えば、外気温が高くなるにつれて、青色、緑色、黄色、オレンジ色、赤色、白色の順にバリアブルカラーを変更するように設定することができる。
【００３８】
以上、一実施形態に基づいて本発明を説明したが、本発明は、これに限定されるものではない。例えば、上記実施形態では、音楽情報取得部１４は、ＣＤ４２の音楽情報を取得しているが、これにかぎらず、例えば、記憶部４３に記憶されている音声データ、ＭＤ（Mini Disk：登録商標）及びＤＶＤ（Digital Versatile Disk）等の音楽情報を取得してもよい。
また、上記実施形態では、バリアブルカラー制御部１３は、表示マイコン２０を介して表示器２５を制御しているが、これに限らず、バリアブルカラー制御部１３が直接的に表示器２５に接続されて、表示マイコンを介さずに表示器を制御可能に構成してもよい。
【図面の簡単な説明】
【００３９】
【図１】照明装置の機能的構成を示すブロック図である。
【図２】スペアナ表示機能の表示状態に基づいて照明パターンを変更するときの動作を示すフローチャートである。
【図３】各周波数分布全体の信号レベル平均値を閾値と比較している様子を示す図である。
【図４】再生しているＣＤに応じて、スペアナ感度及び照明パターンを変更するときの動作を示すフローチャートである。
【図５】スペアナ感度を切り換えるときの様子を示す図である。
【図６】外気温に応じてバリアブルカラー表示機能の制御を行う場合の動作を示すフローチャートである。
【符号の説明】
【００４０】
１３  バリアブルカラー制御部（照明制御部）
２２  液晶パネル（表示部）
２５  表示器（照明部）
５０  外気温センサ
１００  照明装置
【図１】
2007095472.tif 000003
【図２】
2007095472.tif 000004
【図３】
2007095472.tif 000005
【図４】
2007095472.tif 000006
【図５】
2007095472.tif 000007
【図６】
2007095472.tif 000008